(57)【要約】      （修正有）【課題】幅の狭いオモリを要することなく、オモリの脱落を抑制することができるエレベーターの釣合オモリ装置を提供する。【解決手段】エレベーターの釣合オモリ装置４は、枠状に形成されたオモリ枠５と、オモリ枠５の内側において積層された複数のオモリと、複数のオモリのうちの下側のオモリと上側のオモリとの間においてオモリ枠５に固定され、オモリ枠５の内側において上側のオモリを下方から支持する支持体７ｅを有した吊枠バンド７と、を備えた。【選択図】図２
2018034993.tif 000002
【特許請求の範囲】
【請求項１】
枠状に形成されたオモリ枠と、
前記オモリ枠の内側において積層された複数のオモリと、
前記複数のオモリのうちの下側のオモリと上側のオモリとの間において前記オモリ枠に固定され、前記オモリ枠の内側において上側のオモリを下方から支持する支持体を有した吊枠バンドと、
を備えたエレベーターの釣合オモリ装置。
【請求項２】
前記吊枠バンドは、
前記オモリ枠の一対の横枠の一方の外側に配置された第１取付体と、
前記オモリ枠の一対の横枠の他方の外側に配置された第２取付体と、
板状に形成され、前記オモリ枠の外側において昇降路の壁の側に配置され、前記第１取付体と前記第２取付体とに連結された第１連結体と、
板状に形成され、前記オモリ枠の外側において昇降路の壁の側とは反対側に配置され、前記第１取付体と前記第２取付体に連結された第２連結体と、
を備え、
前記支持体は、前記第２連結体に固定された請求項１に記載のエレベーターの釣合オモリ装置。
【請求項３】
前記支持体は、前記オモリ枠の内側において水平方向に並んだ複数の板体である請求項２に記載のエレベーターの釣合オモリ装置。
【請求項４】
オモリ枠の上枠に乗せされる固定体と、
前記固定体に連結され、前記固定体が前記オモリ枠の上枠に乗せられた際に前記オモリ枠の前方側に配置される第１吊体と、
前記固定体に連結され、前記固定体が前記オモリ枠の上枠に乗せられた際に前記オモリ枠の後方側に配置される第２吊体と、
前記第１吊体に設けられ、前記固定体が前記オモリ枠の上枠に乗せられた際に前記オモリ枠の内側に突き出し、オモリの一縁部を支持する第１支持体と、
前記第２吊体に設けられ、前記固定体が前記オモリ枠の上枠に乗せられた際に前記オモリ枠の内側に突き出し、オモリの他縁部を支持する第２支持体と、
を備えたエレベーターの釣合オモリ装置の施工器具。
【請求項５】
前記第１吊体と前記第２吊体とは、ベルト状に形成され、
前記第１支持体と前記第２支持体とは、紐体で縛られることによりオモリを支持した状態に維持される請求項４に記載のエレベーターの釣合オモリ装置の施工器具。
【請求項６】
前記第１支持体は、鉛直方向に並んだ複数の第１板体であり、
前記第２支持体は、鉛直方向に並んだ複数の第２板体であり、
前記複数の第１板体の各々と前記複数の第２板体の各々とは、紐体で縛れることによりオモリを支持した状態に維持される請求項５に記載のエレベーターの釣合オモリ装置の施工器具。
【請求項７】
施工器具を用いてオモリ枠の内側で積層された複数のオモリのうちの上側のオモリを持ち上げた状態で支持する支持工程と、
前記支持工程の後、上側のオモリが持ち上げられた状態で当該上側のオモリの下方かつ下側のオモリの上方で吊枠バンドをオモリ枠に取り付ける取付工程と、
前記取付工程の後、上側のオモリを吊枠バンドの上面まで移動させる移動工程と、
を備えたエレベーターの釣合オモリ装置の施工方法。
【請求項８】
前記支持工程は、複数のオモリの各々を別々に持ち上げた状態で支持する工程を含む請求項７に記載のエレベーターの釣合オモリ装置の施工方法。
【発明の詳細な説明】
【技術分野】
【０００１】
この発明は、エレベーターの釣合オモリ装置、釣合オモリ装置の施工器具および釣合オモリ装置の施工方法に関する。
【背景技術】
【０００２】
特許文献１は、エレベーターの釣合オモリ装置を開示する。釣合オモリ装置において、オモリがオモリ枠から脱落することを抑制するため、吊枠バンドがオモリ枠に固定される。
【先行技術文献】
【特許文献】
【０００３】
【特許文献１】特開２０１０−２５４４００号公報
【発明の概要】
【発明が解決しようとする課題】
【０００４】
吊枠バンドがオモリ枠に固定された場合、吊枠バンドの内側に幅の狭いオモリを入れる。このため、通常のオモリとは異なるオモリが必要となる。
【０００５】
この発明は、上述の課題を解決するためになされた。この発明の目的は、幅の狭いオモリを要することなく、オモリの脱落を抑制することができるエレベーターの釣合オモリ装置、釣合オモリ装置の施工器具および釣合オモリ装置の施工方法を提供することである。
【課題を解決するための手段】
【０００６】
この発明に係るエレベーターの釣合オモリ装置は、枠状に形成されたオモリ枠と、前記オモリ枠の内側において積層された複数のオモリと、前記複数のオモリのうちの下側のオモリと上側のオモリとの間において前記オモリ枠に固定され、前記オモリ枠の内側において上側のオモリを下方から支持する支持体を有した吊枠バンドと、を備えた。
【０００７】
この発明に係るエレベーターの釣合オモリ装置の施工器具は、オモリ枠の上枠に乗せされる固定体と、前記固定体に連結され、前記固定体が前記オモリ枠の上枠に乗せられた際に前記オモリ枠の前方側に配置される第１吊体と、前記固定体に連結され、前記固定体が前記オモリ枠の上枠に乗せられた際に前記オモリ枠の後方側に配置される第２吊体と、前記第１吊体に設けられ、前記固定体が前記オモリ枠の上枠に乗せられた際に前記オモリ枠の内側に突き出し、オモリの一縁部を支持する第１支持体と、前記第２吊体に設けられ、前記固定体が前記オモリ枠の上枠に乗せられた際に前記オモリ枠の内側に突き出し、オモリの他縁部を支持する第２支持体と、を備えた。
【０００８】
この発明に係るエレベーターの釣合オモリ装置の施工方法は、施工器具を用いてオモリ枠の内側で積層された複数のオモリのうちの上側のオモリを持ち上げた状態で支持する支持工程と、前記支持工程の後、上側のオモリが持ち上げられた状態で当該上側のオモリの下方かつ下側のオモリの上方で吊枠バンドをオモリ枠に取り付ける取付工程と、前記取付工程の後、上側のオモリを吊枠バンドの上面まで移動させる移動工程と、を備えた。
【発明の効果】
【０００９】
これらの発明によれば、幅の狭いオモリを要することなく、吊枠バンドが取り付けられる。このため、幅の狭いオモリを要することなく、オモリの脱落を抑制することができる。
【図面の簡単な説明】
【００１０】
【図１】この発明の実施の形態１におけるエレベーターの釣合オモリ装置が適用されるエレベーターの構成図である。
【図２】この発明の実施の形態１におけるエレベーターの釣合オモリ装置に取り付けられる吊枠バンドの斜視図である。
【図３】この発明の実施の形態１におけるエレベーターの釣合オモリ装置に取り付けられる吊枠バンドの要部の斜視図である。
【図４】この発明の実施の形態１におけるエレベーターの釣合オモリ装置に取り付けられる吊枠バンドの分解図である。
【図５】この発明の実施の形態１におけるエレベーターの釣合オモリ装置に取り付けられる吊枠バンドの要部の拡大図である。
【図６】この発明の実施の形態１におけるエレベーターの釣合オモリ装置に用いられる施工器具の構成図である。
【図７】この発明の実施の形態１におけるエレベーターの釣合オモリ装置に用いられる施工器具８の分解図の一部である。
【図８】この発明の実施の形態１におけるエレベーターの釣合オモリ装置に用いられる施工器具８の要部の拡大図である。
【図９】この発明の実施の形態１におけるエレベーターの釣合オモリ装置の施工方法を説明するための図である。
【図１０】この発明の実施の形態１におけるエレベーターの釣合オモリ装置の施工方法を説明するための図である。
【図１１】この発明の実施の形態１におけるエレベーターの釣合オモリ装置の施工方法を説明するための図である。
【図１２】この発明の実施の形態１におけるエレベーターの釣合オモリ装置の施工方法を説明するための図である。
【図１３】この発明の実施の形態１におけるエレベーターの釣合オモリ装置の施工方法を説明するための図である。
【図１４】この発明の実施の形態１におけるエレベーターの釣合オモリ装置の施工方法を説明するための図である。
【図１５】この発明の実施の形態１におけるエレベーターの釣合オモリ装置の施工方法を説明するための図である。
【発明を実施するための形態】
【００１１】
この発明を実施するための形態について添付の図面に従って説明する。なお、各図中、同一又は相当する部分には同一の符号が付される。当該部分の重複説明は適宜に簡略化ないし省略される。
【００１２】
実施の形態１．
図１はこの発明の実施の形態１におけるエレベーターの釣合オモリ装置が適用されるエレベーターの構成図である。
【００１３】
図１に示されるように、建築物は、複数の階を備える。建築物は、エレベーターを備える。
【００１４】
エレベーターの昇降路１は、建築物の各階を貫く。エレベーターの複数の乗場２の各々は、建築物の各階に設けられる。複数の乗場２の各々は、昇降路１に対向する。エレベーターのかご装置３は、昇降路１の内部に設けられる。エレベーターの釣合オモリ装置４は、昇降路１の内部に設けられる。
【００１５】
釣合オモリ装置４は、オモリ枠５と複数のオモリ６と吊枠バンド７とを備える。
【００１６】
オモリ枠５は、枠状に形成される。複数のオモリ６は、オモリ枠５の内側において積層される。吊枠バンド７は、複数のオモリ６のうちの下側のオモリ６と上側のオモリ６との間においてオモリ枠５に固定される。吊枠バンド７は、オモリ枠５の内側において上側のオモリ６を下方から支持する。
【００１７】
次に、図２から図５を用いて、吊枠バンド７を説明する。
図２はこの発明の実施の形態１におけるエレベーターの釣合オモリ装置に取り付けられる吊枠バンドの斜視図である。図３はこの発明の実施の形態１におけるエレベーターの釣合オモリ装置に取り付けられる吊枠バンドの要部の斜視図である。図４はこの発明の実施の形態１におけるエレベーターの釣合オモリ装置に取り付けられる吊枠バンドの分解図である。図５はこの発明の実施の形態１におけるエレベーターの釣合オモリ装置に取り付けられる吊枠バンドの要部の拡大図である。
【００１８】
図２に示されるように、吊枠バンド７は、第１取付体７ａと第２取付体７ｂと第１連結体７ｃと第２連結体７ｄと支持体７ｅと複数のボルト７ｆと複数のナット７ｇとを備える。
【００１９】
第１取付体７ａは、オモリ枠５の一対の横枠の一方の外側に配置される。第２取付体７ｂは、オモリ枠５の一対の横枠の他方の外側に配置される。第１連結体７ｃは、オモリ枠５の外側において図２では図示されない昇降路１の壁の側に配置される。第１連結体７ｃは、第１取付体７ａと第２取付体７ｂとに跨る。第２連結体７ｄは、オモリ枠５の外側において昇降路１の壁の側とは反対側に配置される。第２連結体７ｄは、第１取付体７ａと第２取付体７ｂとに跨る。支持体７ｅは、第２連結体７ｄに固定される。支持体７ｅは、オモリ枠５の内側に配置される。
【００２０】
図３では示されないが、複数のボルト７ｆと複数のナット７ｇの第１組は、第１取付体７ａと第１連結体７ｃとを連結する。図３に示されるように、複数のボルト７ｆと複数のナット７ｇの第２組は、第２取付体７ｂと第１連結体７ｃとを連結する。図３では示されないが、複数のボルト７ｆと複数のナット７ｇの第３組は、第１取付体７ａと第２連結体７ｄとを連結する。図３に示されるように、複数のボルト７ｆと複数のナット７ｇの第４組は、第２取付体７ｂと第２連結体７ｄとを連結する。
【００２１】
図４の（ａ）と（ｂ）とに示されるように、第１取付体７ａと第２取付体７ｂとは同じ形状である。図４の（ｃ）に示されるように、第１連結体７ｃは、板状に形成される。図４の（ｄ）に示されるように、第２連結体７ｄは、板状に形成される。図４の（ｄ）に示されるように、支持体７ｅは、複数の板体である。
【００２２】
図５に示されるように、支持体７ｅにおいて、複数の板体の各々は、第２連結体７ｄに強固に固定される。例えば、複数の板体の各々は、第２連結体７ｄに溶接される。
【００２３】
次に、図６から図８を用いて、施工器具８を説明する。
図６はこの発明の実施の形態１におけるエレベーターの釣合オモリ装置に用いられる施工器具の構成図である。図７はこの発明の実施の形態１におけるエレベーターの釣合オモリ装置に用いられる施工器具の分解図の一部である。図８はこの発明の実施の形態１におけるエレベーターの釣合オモリ装置に用いられる施工器具の要部の拡大図である。
【００２４】
図６に示されるように、一対の施工器具８の各々は、固定体８ａと第１吊体８ｂと第２吊体８ｃと第１三角金具８ｄと第２三角金具８ｅと第１支持体８ｆと第２支持体８ｇと第１Ｕ字ボルト８ｈと第２Ｕ字ボルト８ｉと複数の第１ナット８ｊと複数の第２ナット８ｋとを備える。
【００２５】
固定体８ａは、オモリ枠５の上枠に乗せられる。第１吊体８ｂは、固定体８ａがオモリ枠５の上枠に乗せられた際にオモリ枠５の前方側に配置される。第２吊体８ｃは、固定体８ａがオモリ枠５の上枠に乗せられた際にオモリ枠５の後方側に配置される。第１三角金具８ｄは、第１吊体８ｂの上部に連結される。第２三角金具８ｅは、第２吊体８ｃの上部に連結される。第１支持体８ｆは、第１吊体８ｂに設けられる。第１支持体８ｆは、固定体８ａがオモリ枠５の上枠に乗せられた際にオモリ枠５の内側に突き出す。第２支持体８ｇは、第２吊体８ｃに設けられる。第２支持体８ｇは、固定体８ａがオモリ枠５の上枠に乗せられた際にオモリ枠５の内側に突き出す。第１Ｕ字ボルト８ｈは、第１三角金具８ｄの内側を貫通する。第２Ｕ字ボルト８ｉは、第２三角金具８ｅの内側を貫通する。
【００２６】
複数の第１ナット８ｊは、固定体８ａと第１Ｕ字ボルト８ｈとを連結する。複数の第２ナット８ｋは、固定体８ａ第２Ｕ字ボルト８ｉを連結する。
【００２７】
図７の（ａ）に示されるように、固定体８ａは、Ｈ鋼である。図７の（ｂ）に示されるように、第１吊体８ｂは、ベルト状に形成される。図７では示されないが、第２吊体８ｃは、ベルト状に形成される。図７（ｃ）に示されるように、第１Ｕ字ボルト８ｈの両端部は、ネジ部である。図７では図示されないが、第２Ｕ字ボルト８ｉの両端部は、ネジ部である。
【００２８】
図８に示されるように、第１支持体８ｆは、鉛直方向に並んだ複数の板体である。図８では示されないが、第２支持体８ｇは、鉛直方向に並んだ複数の第２板体である。
【００２９】
次に、図９から図１５を用いて、釣合オモリ装置４の施工方法を説明する。
図９から図１５はこの発明の実施の形態１におけるエレベーターの釣合オモリ装置の施工方法を説明するための図である。
【００３０】
最初に、施工器具８が組み立てられる。具体的には、図９に示されるように、第１三角金具８ｄが第１Ｕ字ボルト８ｈに掛けられる。その後、第１Ｕ字ボルト８ｈが第１ナット８ｊにより固定体８ａに固定される。図９では示されないが、第２三角金具８ｅが第２Ｕ字ボルト８ｉに掛けられる。その後、第２Ｕ字ボルト８ｉが第２ナット８ｋにより固定体８ａに固定される。
【００３１】
その後、図１０に示されるように、固定体８ａがオモリ枠５の上枠に乗せられる。その後、固定体８ａが図示されないベルト体によりオモリ枠５の上枠に強固に固定される。
【００３２】
その後、支持工程が行われる。具体的には、図１１に示されるように、最上段のオモリ６が持ち上げられる。その後、オモリ６が第１支持体８ｆと第２支持体８ｇとに支持される。具体的には、オモリ６の一縁部が第１支持体８ｆに支持される。オモリ６の他縁部が第２支持体８ｇに支持される。
【００３３】
この際、図１２に示されるように、第１支持体８ｆと第２支持体８ｇとにおいて、複数の第１板体と第２板体とは、紐体８ｌで縛られることによりオモリ６を支持した状態に維持される。この際、ストッパ８ｍと連結具８ｎが紐の緩みを抑制する。
【００３４】
その後、図１３に示されるように、上から２段目のオモリ６が持ち上げられる。その後、最上段のオモリ６と同様に、上から２段目のオモリ６が第１支持体８ｆと第２支持体８ｇとに支持される。その後、同様の作業が繰り返される。
【００３５】
その後、取付工程が行われる。具体的には、図１４に示されるように、上側のオモリ６の下方かつ下側のオモリ６の上方で、吊枠バンド７がオモリ枠５に取り付けられる。
【００３６】
その後、移動工程が行われる。具体的には、図１５に示されるように、上側のオモリ６が吊枠バンド７の上面まで移動される。
【００３７】
以上で説明した実施の形態１によれば、幅の狭いオモリを要することなく、吊枠バンド７が取り付けられる。このため、幅の狭いオモリを要することなく、オモリ６の脱落を抑制することができる。
【００３８】
この場合、上側のオモリ６を乗場２に持ち出す必要がない。その結果、かご装置３と釣合オモリ装置４とのバランスが保たれる。このため、吊枠バンド７を取り付ける際の作業を容易かつ安全に行うことができる。
【００３９】
また、支持体７ｅは、第２連結体７ｄに連結される。このため、第１連結体７ｃは、板状でよい。その結果、昇降路１の壁と釣合オモリ装置４との間が狭くても、吊枠バンド７をオモリ枠５に取り付けることができる。
【００４０】
また、支持体７ｅは、水平方向に並んだ複数の板体である。このため、単純な構成で上側のオモリ６を支持することができる。
【００４１】
また、第１支持体８ｆと第２支持体８ｇとにおいて、複数の第１板体と第２板体とは、紐体８ｌで縛られることによりオモリ６を支持した状態に維持される。このため、簡単な作業で、上側のオモリ６が落下することを抑制できる。
【００４２】
また、支持工程において、複数のオモリ６の各々は、別々に持ち上げられる。このため、オモリ６を持ち上げる際の負荷を小さくすることができる。
【符号の説明】
【００４３】
１  昇降路、  ２  乗場、  ３  かご装置、  ４  釣合オモリ装置、  ５  オモリ枠、  ６  オモリ、  ７  吊枠バンド、  ７ａ  第１取付体、  ７ｂ  第２取付体、  ７ｃ  第１連結体、  ７ｄ  第２連結体、  ７ｅ  支持体、  ７ｆ  ボルト、  ７ｇ  ナット、  ８  施工器具、  ８ａ  固定体、  ８ｂ  第１吊体、  ８ｃ  第２吊体、  ８ｄ  第１三角金具、  ８ｅ  第２三角金具、  ８ｆ  第１支持体、  ８ｇ  第２支持体、  ８ｈ  第１Ｕ字ボルト、  ８ｉ  第２Ｕ字ボルト、  ８ｊ  第１ナット、  ８ｋ  第２ナット、  ８ｌ  紐体、  ８ｍ  ストッパ、  ８ｎ  連結具
【図１】
2018034993.tif 000003
【図２】
2018034993.tif 000004
【図３】
2018034993.tif 000005
【図４】
2018034993.tif 000006
【図５】
2018034993.tif 000007
【図６】
2018034993.tif 000008
【図７】
2018034993.tif 000009
【図８】
2018034993.tif 000010
【図９】
2018034993.tif 000011
【図１０】
2018034993.tif 000012
【図１１】
2018034993.tif 000013
【図１２】
2018034993.tif 000014
【図１３】
2018034993.tif 000015
【図１４】
2018034993.tif 000016
【図１５】
2018034993.tif 000017
【手続補正書】
【提出日】平成29年12月6日(2017.12.6)
【手続補正１】
【補正対象書類名】特許請求の範囲
【補正対象項目名】全文
【補正方法】変更
【補正の内容】
【特許請求の範囲】
【請求項１】
枠状に形成されたオモリ枠と、
前記オモリ枠の内側において積層された複数のオモリと、
前記複数のオモリのうちの下側のオモリと上側のオモリとの間において前記オモリ枠に固定され、前記オモリ枠の内側において上側のオモリを下方から支持する支持体を有した吊枠バンドと、
を備え、
前記吊枠バンドは、
前記オモリ枠の一対の横枠の一方の外側に配置された第１取付体と、
前記オモリ枠の一対の横枠の他方の外側に配置された第２取付体と、
板状に形成され、前記オモリ枠の外側において昇降路の壁の側に配置され、前記第１取付体と前記第２取付体とに連結された第１連結体と、
板状に形成され、前記オモリ枠の外側において昇降路の壁の側とは反対側に配置され、前記第１取付体と前記第２取付体に連結された第２連結体と、
を備え、
前記支持体は、前記第１連結体に固定されずに前記第２連結体に固定されたエレベーターの釣合オモリ装置。
【請求項２】
前記支持体は、前記オモリ枠の内側において水平方向に並んだ複数の板体である請求項１に記載のエレベーターの釣合オモリ装置。
【請求項３】
請求項１または請求項２に記載の釣合オモリ装置のオモリ枠の上枠に乗せられる固定体と、
前記固定体に連結され、前記固定体が前記オモリ枠の上枠に乗せられた際に前記オモリ枠の前方側に配置される第１吊体と、
前記固定体に連結され、前記固定体が前記オモリ枠の上枠に乗せられた際に前記オモリ枠の後方側に配置される第２吊体と、
前記第１吊体に設けられ、前記固定体が前記オモリ枠の上枠に乗せられた際に前記オモリ枠の内側に突き出し、オモリの一縁部を支持する第１支持体と、
前記第２吊体に設けられ、前記固定体が前記オモリ枠の上枠に乗せられた際に前記オモリ枠の内側に突き出し、オモリの他縁部を支持する第２支持体と、
を備えたエレベーターの釣合オモリ装置の施工器具。
【請求項４】
前記第１吊体と前記第２吊体とは、ベルト状に形成され、
前記第１支持体と前記第２支持体とは、紐体で縛られることによりオモリを支持した状態に維持される請求項３に記載のエレベーターの釣合オモリ装置の施工器具。
【請求項５】
前記第１支持体は、鉛直方向に並んだ複数の第１板体であり、
前記第２支持体は、鉛直方向に並んだ複数の第２板体であり、
前記複数の第１板体の各々と前記複数の第２板体の各々とは、紐体で縛れることによりオモリを支持した状態に維持される請求項４に記載のエレベーターの釣合オモリ装置の施工器具。
【請求項６】
オモリ枠の上枠に乗せられる固定体と、
前記固定体に連結され、前記固定体が前記オモリ枠の上枠に乗せられた際に前記オモリ枠の前方側に配置される第１吊体と、
前記固定体に連結され、前記固定体が前記オモリ枠の上枠に乗せられた際に前記オモリ枠の後方側に配置される第２吊体と、
前記第１吊体に設けられ、前記固定体が前記オモリ枠の上枠に乗せられた際に前記オモリ枠の内側に突き出し、オモリの一縁部を支持する第１支持体と、
前記第２吊体に設けられ、前記固定体が前記オモリ枠の上枠に乗せられた際に前記オモリ枠の内側に突き出し、オモリの他縁部を支持する第２支持体と、
を備えたエレベーターの釣合オモリ装置の施工器具。
【請求項７】
請求項３から請求項５のいずれか１項に記載の釣合オモリ装置の施工器具を用いてオモリ枠の内側で積層された複数のオモリのうちの上側のオモリを持ち上げた状態で支持する支持工程と、
前記支持工程の後、上側のオモリが持ち上げられた状態で当該上側のオモリの下方かつ下側のオモリの上方で吊枠バンドをオモリ枠に取り付ける取付工程と、
前記取付工程の後、上側のオモリを吊枠バンドの上面まで移動させる移動工程と、
を備えたエレベーターの釣合オモリ装置の施工方法。
【請求項８】
前記支持工程は、複数のオモリの各々を別々に持ち上げた状態で支持する工程を含む請求項７に記載のエレベーターの釣合オモリ装置の施工方法。
【手続補正２】
【補正対象書類名】明細書
【補正対象項目名】０００６
【補正方法】変更
【補正の内容】
【０００６】
この発明に係るエレベーターの釣合オモリ装置は、枠状に形成されたオモリ枠と、前記オモリ枠の内側において積層された複数のオモリと、前記複数のオモリのうちの下側のオモリと上側のオモリとの間において前記オモリ枠に固定され、前記オモリ枠の内側において上側のオモリを下方から支持する支持体を有した吊枠バンドと、を備え、前記吊枠バンドは、前記オモリ枠の一対の横枠の一方の外側に配置された第１取付体と、前記オモリ枠の一対の横枠の他方の外側に配置された第２取付体と、板状に形成され、前記オモリ枠の外側において昇降路の壁の側に配置され、前記第１取付体と前記第２取付体とに連結された第１連結体と、板状に形成され、前記オモリ枠の外側において昇降路の壁の側とは反対側に配置され、前記第１取付体と前記第２取付体に連結された第２連結体と、を備え、前記支持体は、前記第１連結体に固定されずに前記第２連結体に固定された。
【手続補正３】
【補正対象書類名】明細書
【補正対象項目名】０００７
【補正方法】変更
【補正の内容】
【０００７】
この発明に係るエレベーターの釣合オモリ装置の施工器具は、前記釣合オモリ装置のオモリ枠の上枠に乗せられる固定体と、前記固定体に連結され、前記固定体が前記オモリ枠の上枠に乗せられた際に前記オモリ枠の前方側に配置される第１吊体と、前記固定体に連結され、前記固定体が前記オモリ枠の上枠に乗せられた際に前記オモリ枠の後方側に配置される第２吊体と、前記第１吊体に設けられ、前記固定体が前記オモリ枠の上枠に乗せられた際に前記オモリ枠の内側に突き出し、オモリの一縁部を支持する第１支持体と、前記第２吊体に設けられ、前記固定体が前記オモリ枠の上枠に乗せられた際に前記オモリ枠の内側に突き出し、オモリの他縁部を支持する第２支持体と、を備えた。
この発明に係るエレベーターの釣合オモリ装置の施工器具は、オモリ枠の上枠に乗せられる固定体と、前記固定体に連結され、前記固定体が前記オモリ枠の上枠に乗せられた際に前記オモリ枠の前方側に配置される第１吊体と、前記固定体に連結され、前記固定体が前記オモリ枠の上枠に乗せられた際に前記オモリ枠の後方側に配置される第２吊体と、前記第１吊体に設けられ、前記固定体が前記オモリ枠の上枠に乗せられた際に前記オモリ枠の内側に突き出し、オモリの一縁部を支持する第１支持体と、前記第２吊体に設けられ、前記固定体が前記オモリ枠の上枠に乗せられた際に前記オモリ枠の内側に突き出し、オモリの他縁部を支持する第２支持体と、を備えた。
【手続補正４】
【補正対象書類名】明細書
【補正対象項目名】０００８
【補正方法】変更
【補正の内容】
【０００８】
この発明に係るエレベーターの釣合オモリ装置の施工方法は、前記釣合オモリ装置の施工器具を用いてオモリ枠の内側で積層された複数のオモリのうちの上側のオモリを持ち上げた状態で支持する支持工程と、前記支持工程の後、上側のオモリが持ち上げられた状態で当該上側のオモリの下方かつ下側のオモリの上方で吊枠バンドをオモリ枠に取り付ける取付工程と、前記取付工程の後、上側のオモリを吊枠バンドの上面まで移動させる移動工程と、を備えた。